(57)【要約】【課題】プルトップの開封作業を容易に行うことができるようにする。【解決手段】開封器具１は、嵌合部材１０と、レバー部材２０とを備えている。レバー部材２０には、開封者が操作する操作部２３が設けられるとともに、プルトップ缶の蓋片部の上方まで延びるように形成された開封用突起部２４ａとが設けられている。【選択図】図３
2020169050.tif 000002
【特許請求の範囲】
【請求項１】
破断予定部によって囲まれた蓋片部を有する缶蓋本体にプルタブが固定されたプルトップ缶を開封する開封器具において、
前記プルトップ缶の上部に嵌合する嵌合部材と、
前記嵌合部材に対して水平方向に延びる軸周りに回動可能に取り付けられ、開封者によって操作されるレバー部材とを備え、
前記レバー部材における前記軸よりも基端側には、開封者が操作する操作部が設けられ、
前記レバー部材における前記軸よりも先端側は、前記蓋片部の上方まで延びるように形成され、当該先端側には、前記蓋片部の一部に当接する開封用突起部が下方へ突出するように形成されていることを特徴とする開封器具。
【請求項２】
請求項１に記載の開封器具において、
前記レバー部材の前記開封用突起部は、前記蓋片部の幅方向一方寄りに対応するように配置されていることを特徴とする開封器具。
【請求項３】
請求項１または２に記載の開封器具において、
前記レバー部材における前記先端側には、前記缶蓋本体における前記破断予定部よりも外側部分を破断させるための刃部が設けられていることを特徴とする開封器具。
【請求項４】
請求項１から３のいずれか１つに記載の開封器具において、
前記嵌合部材は、前記プルトップ缶の上部を囲む環状部を有し、
前記軸は、前記環状部の外側に設けられていることを特徴とする開封器具。
【請求項５】
請求項４に記載の開封器具において、
前記レバー部材の前記先端側は、前記軸に支持された部分から前記環状部の内方へ向けて延びるように形成され、
前記レバー部材の前記基端側は、前記軸に支持された部分から上へ延びた後、前記先端側の上方に位置するまで湾曲しながら延びるように形成されていることを特徴とする開封器具。
【請求項６】
請求項４または５に記載の開封器具において、
前記嵌合部材の前記環状部の内側には、前記プルタブの少なくとも一部が嵌まるように形成されたプルタブ嵌合部が設けられていることを特徴とする開封器具。
【発明の詳細な説明】
【技術分野】
【０００１】
本発明は、プルトップ缶を開封する際に使用される開封器具に関するものである。
【背景技術】
【０００２】
従来より、例えば特許文献１に開示されているように、飲料等の缶には、プルトップ式の缶蓋を有するプルトップ缶が広く用いられている。プルトップは、破断予定部によって囲まれた蓋片部を有する缶蓋本体と、蓋片部に対して上方からの押圧力を作用させるためのプルタブとを備えており、プルタブは缶蓋本体に固定されている。このプルタブを起こすことにより、蓋片部に対して上方からの押圧力を作用させて破断予定部に沿って蓋片部を破断させて缶蓋本体に開口が形成される。
【０００３】
一般的なプルタブは、指先や爪をリング部に引っ掛けて引き上げることによって起こすことができるのであるが、開封前はリング部と缶蓋本体とが接近しているので、リング部と缶蓋本体との間に指先や爪を差し込むことが難しい。また、指先や爪をリング部と缶蓋本体との間に差し込むことができたとしても、プルタブを起こすのには大きな力が必要であり、指先の力が弱い者にとってプルトップを開封するのは難しい場合があった。
【０００４】
そこで、例えば特許文献２〜４に開示されているような開封器具や開封補助具が考案されている。特許文献２の器具は、棒状の把手竿と、この把手竿の先端部に取り付けられた薄肉状の係止片とを有しており、係止片をプルタブのリング部に差し込んだまま、把手竿の基端側を押し下げることによってプルタブを起こすように構成されている。
【０００５】
また、特許文献３の器具は、プルトップの中心近傍に載置される脚と、脚の中間位置から突出してプルタブのリング部に係止する係止アームと、脚の上端に固定された押圧板とを有しており、押圧板を押し下げることにより、脚の下端を支点として係止アームを上方へ揺動させ、この係止アームの揺動によってプルタブを起こすように構成されている。
【０００６】
また、特許文献４の器具は、手のひらを載置する本体部材と、本体部材の下面に固定された係止部材とを有しており、係止部材をプルタブのリング部と缶蓋本体との間に差し込んで本体部材を上方へ揺動させることにより、プルタブを起こすように構成されている。
【先行技術文献】
【特許文献】
【０００７】
【特許文献１】特開２００４−９１０１５号公報
【特許文献２】登録実用新案第３１２９８３１号公報
【特許文献３】登録実用新案第３０１３２１４号公報
【特許文献４】特許第５１２４０６１号公報
【発明の概要】
【発明が解決しようとする課題】
【０００８】
特許文献２〜４のように、プルタブに係止する係止片等を利用してプルタブを起こすようにすることで、リング部と缶蓋本体との間に指先や爪を差し込む必要が無くなり、さらに、特許文献２の把持竿、特許文献３の押圧板、特許文献４の本体部材のようにある程度長さのある部材を介してプルタブに力を加えるようにすれば、テコの原理によって開封者の力が小さくて済む。
【０００９】
ところが、特許文献２の場合、係止片をプルタブのリング部に差し込む動作が必要になり、そのリング部は小さなものなので差し込む際の作業性が悪い。しかも、把手竿を押し下げる際、把手竿は缶に対して固定されていないので、把手竿を缶の縁に押しつけて当該縁から滑らないように保持しておかなければならず、この点においても作業性が悪い。
【００１０】
また、特許文献３の場合も係止アームをプルタブのリング部に差し込む動作が必要になるとともに、押圧板を押し下げる際、脚が缶蓋本体の上面から滑らないように保持しておかなければならず、作業性が悪い。
【００１１】
また、特許文献４の場合、係止部材をプルタブのリング部と缶蓋本体との間に差し込む動作が必要になるが、リング部と缶蓋本体との隙間は小さなものなので作業性が悪い。しかも、本体部材は手で持っているだけであり、缶に対して固定されていないので、本体部材が缶から滑らないように保持しておかなければならず、この点においても作業性が悪い。
【００１２】
本発明は、かかる点に鑑みてなされたものであり、その目的とするところは、プルトップの開封作業を容易に行うことができるようにすることにある。
【課題を解決するための手段】
【００１３】
上記目的を達成するために、本発明では、プルトップ缶の上部に嵌合する嵌合部材に、水平軸周りに回動するレバー部材を取り付け、レバー部材の先端側に、プルトップの蓋片部の一部に当接する開封用突起部を形成するようにした。
【００１４】
第１の発明は、破断予定部によって囲まれた蓋片部を有する缶蓋本体にプルタブが固定されたプルトップ缶を開封する開封器具において、前記プルトップ缶の上部に嵌合する嵌合部材と、前記嵌合部材に対して水平方向に延びる軸周りに回動可能に取り付けられ、開封者によって操作されるレバー部材とを備え、前記レバー部材における前記軸よりも基端側には、開封者が操作する操作部が設けられ、前記レバー部材における前記軸よりも先端側は、前記蓋片部の上方まで延びるように形成され、当該先端側には、前記蓋片部の一部に当接する開封用突起部が下方へ突出するように形成されていることを特徴とする。
【００１５】
この構成によれば、嵌合部材をプルトップ缶の上部に嵌合させることで、開封器具がプルトップ缶に固定されて安定する。嵌合部材をプルトップ缶の上部に嵌合させた後、レバー部材の先端側が下方へ移動するように、開封者がレバー部材の操作部を操作すると、レバー部材が軸周りに回動して先端側の開封用突起部がプルトップの蓋片部の一部に当接する。この状態で開封者が更に同方向に力を加えていくと、レバー部材の開封用突起部が蓋片部の一部を強く押し、これにより、プルタブを使用することなく、破断予定部を破断させて蓋片部が缶内へ向けて折れ曲がり、缶蓋本体に開口が形成される。
【００１６】
レバー部材を操作する際、開封器具がプルトップ缶に固定されているので、開封者が力を加えた際にもレバー部材が安定した状態で保持され、作業性が良好になる。また、従来例のように係止片をリング部に差し込んだり、リング部と缶蓋本体との隙間に差し込んだりする必要はないので、この点においても作業性が良好になる。
【００１７】
第２の発明は、前記レバー部材の前記開封用突起部は、前記蓋片部の幅方向一方寄りに対応するように配置されていることを特徴とする。
【００１８】
すなわち、開封用突起部が蓋片部の幅方向一方寄りに配置されるということは、破断予定部に近くなるということである。従って、レバー部材の操作時に破断予定部に近い所を開封用突起部で押すことになるので、破断予定部が破断しやすくなり、開封がより一層容易になる。
【００１９】
第３の発明は、前記レバー部材における前記先端側には、前記缶蓋本体における前記破断予定部よりも外側部分を破断させるための刃部が設けられていることを特徴とする。
【００２０】
この構成によれば、レバー部材の先端側が下方へ移動するように当該レバー部材を操作すると、上述したように破断予定部が破断するとともに、刃部によって破断予定部よりも外側部分が破断する。これにより、破断予定部で囲まれた部分によりも広い範囲が開口することになるので、缶蓋本体の開口面積が大きくなる。従って、例えばプルトップ缶に飲料が収容されている場合に、飲料の単位時間当たりの流出量を増大させることができる。
【００２１】
第４の発明は、前記嵌合部材は、前記プルトップ缶の上部を囲む環状部を有し、前記軸は、前記環状部の外側に設けられていることを特徴とする。
【００２２】
この構成によれば、嵌合部材の環状部がプルトップ缶の上部を囲むように嵌合することになるので、嵌合部材がプルトップ缶の径方向のいずれの方向にも移動しにくくなり、開封器具の固定が確実に行えるようになる。
【００２３】
第５の発明は、前記レバー部材の前記先端側は、前記軸に支持された部分から前記環状部の内方へ向けて延びるように形成され、前記レバー部材の前記基端側は、前記軸に支持された部分から上へ延びた後、前記先端側の上方に位置するまで湾曲しながら延びるように形成されていることを特徴とする。
【００２４】
この構成によれば、開封器具をプルトップ缶に固定すると、レバー部材の操作部が嵌合部材から上へ離れることになる。開封者が操作部を下方へ押すことにより、レバー部材が軸周りに回動して当該レバー部材の先端側が下方へ移動し、開封用突起部が蓋片部の一部を押し、破断予定部が破断する。つまり、レバー部材の操作部を押すという簡単な操作によってプルトップ缶を開封することができる。また、開封者による開封操作時には、開封器具に対して下方へ力が作用することになるので、開封器具をプルトップ缶に確実に固定しておくことができる。
【００２５】
第６の発明は、前記嵌合部材の前記環状部の内側には、前記プルタブの少なくとも一部が嵌まるように形成されたプルタブ嵌合部が設けられていることを特徴とする。
【００２６】
すなわち、プルタブと蓋片部との相対的な位置関係は全てのプルトップ缶で規定されているので、プルタブの少なくとも一部を嵌合部材のプルタブ嵌合部に嵌めることで、開封器具をプルトップ缶に対して所定位置で位置決めすることができる。これにより、開封用突起部を蓋片部に対応するように配置することができる。
【発明の効果】
【００２７】
本発明によれば、嵌合部材をプルトップ缶の上部に嵌合させることで開封器具をプルトップ缶に固定することができ、この固定状態でレバー部材を操作することによって蓋片部の周囲の破断予定部を破断して当該蓋片部を缶内に向けて折曲げ、プルトップを開口させることができるので、プルトップの開封作業を容易に行うことができる。
【図面の簡単な説明】
【００２８】
【図１】本発明の実施形態に係る開封器具と、開封器具によって開封されるプルトップ缶とを示す斜視図である。
【図２】プルトップ缶の平面図である。
【図３】開封器具の分解斜視図である。
【図４】嵌合部材の平面図である。
【図５】嵌合部材の左側面図である。
【図６】図４におけるVI−VI線断面図である。
【図７】レバー部材の左側面図である。
【図８】レバー部材の正面図である。
【図９】レバー部材の平面図である。
【図１０】図７におけるX−X線断面図である。
【図１１】開封器具をプルトップ缶に固定した状態を示す斜視図である。
【図１２】開封器具をプルトップ缶に固定したときのレバー部材とプルトップ缶との位置関係を示す平面図である。
【図１３】レバー部材を押し切ったときの図１１相当図である。
【図１４】開封器具で開封されたプルトップ缶の平面図である。
【発明を実施するための形態】
【００２９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３０】
図１は、本発明の実施形態に係る開封器具１と、プルトップ缶１００とを示すものである。まず、プルトップ缶１００について説明する。プルトップ缶１００は、例えばビール、ジュース等の飲料が収容されたステイオンプルタブ式の缶であり、缶体１０１と、缶蓋本体１０２とを備えている。缶体１０１の上部は、上端へ行くほど径方向内方に位置するように成形された縮径部１０１ａとされている。缶蓋本体１０２は、破断予定部１０２ａによって囲まれた蓋片部１０２ｂを有している。破断予定部１０２ａは、缶蓋本体１０２における他の部分に比べて脆弱に構成された部分であり、缶蓋本体１０２における他の部分に比べて破断に要する力が低く設定されている。蓋片部１０２ｂは、缶蓋本体１０２に一体に設けられている。
【００３１】
また、缶蓋本体１０２には、プルタブ１０３がリベット１０４等によって固定されている。プルタブ１０３の長手方向は、図２に示すように設定されており、その長手方向中間部がリベット１０４によって缶蓋本体１０２に固定されている。プルタブ１０３の一端部は、蓋片部１０２ｂの直上方に位置付けられている。また、プルタブ１０３の蓋片部１０２ｂ側とは反対側には、リング部１０３ａが設けられている。このリング部１０３ａと缶蓋本体１０２とは近接している。プルタブ１０３のリング部１０３ａを上方へ引くことでプルタブ１０３が起き、これにより、蓋片部１０２ｂに対して上方からの押圧力が作用して破断予定部１０２ａが破断し、蓋片部１０２ｂの一部が缶蓋本体１０２に連なった状態で缶体１０１内へ向けて折れ曲がる。蓋片部１０２ｂが缶体１０１内へ向けて折れ曲がることで、缶蓋本体１０２の蓋片部１０２ｂの跡が開口してプルトップ缶１００が開封される。
【００３２】
（開封器具１の全体構成）
開封器具１は、プルトップ缶１００を開封するための器具であり、プルタブ１０３を使用することなく、図１４に示すようにプルトップ缶１００を開封することが可能に構成されている。図１４における符号１０５は缶蓋本体１０２に形成された開口を示している。
【００３３】
図３に示すように、開封器具１は、プルトップ缶１００の上部に嵌合する嵌合部材１０と、開封者によって操作されるレバー部材２０と、レバー部材２０を嵌合部材１０に連結する軸３０とを備えている。嵌合部材１０及びレバー部材２０は、金属製であってもよいし、樹脂製であってもよい。金属製とする場合には、例えばステンレス鋼等を用いることができる。また、軸３０についても金属製であってもよいし、樹脂製であってもよい。
【００３４】
各図に示すように、開封器具１の手前側と奥側を定義する。また、開封器具１の手前側から見たときに左になる方を左とし、右になる方を右とする。これは、説明の便宜を図るために定義するだけであり、開封器具１の使用時の方向や製造時の方向を限定するものではない。どの方向が手前側であってもよい。また、奥側を後側とし、手前側を前側とすることもできる。また、奥行き方向と前後方向とは同じである。
【００３５】
（嵌合部材１０の構成）
図３や図４に示すように、嵌合部材１０は、プルトップ缶１００の上部を囲む環状部１１と、環状部１１の内側に設けられたプルタブ嵌合部１２とを有しており、これらは一体成形されている。環状部１１は、プルトップ缶１００の上部の外形状と略一致するように形成されており、上下方向に所定の長さを有する板状をなしている。この環状部１１の内側にプルトップ缶１００の上部が挿入された状態で嵌合するようになっている。これにより、嵌合部材１０は、プルトップ缶１００の径方向のどの方向にも相対移動しにくくなる。環状部１１にプルトップ缶１００が嵌合した状態で、環状部１１の下端部が缶体１０１の縮径部１０１ａに達するように環状部１１の上下方向の寸法が設定されている。
【００３６】
プルタブ嵌合部１２は、環状部１１の内周面における上下方向中間部から当該環状部１１の内方へ向かって延出する板状部で構成されている。プルトップ缶１００の上部を環状部１１の内側に挿入すると、プルトップ缶１００の上部がプルタブ嵌合部１２の下面に当接する。これにより、嵌合部材１０とプルトップ缶１００との上下方向の相対位置が決定される。従って、プルタブ嵌合部１２は、プルトップ缶１００のストッパとしても機能する。
【００３７】
プルタブ嵌合部１２は、環状部１１の内側における奥側部分には設けられておらず、手前側部分にのみ設けられている。したがって、環状部１１の奥側部分は上下方向に開放されている。また、プルタブ嵌合部１２には、プルタブ１０３の外形状に対応した形状の切り欠き部１２ａが形成されている。図４に示すように、切り欠き部１２ａは、奥側に向けて開放されており、この開放部分からプルタブ嵌合部１２の手前側部分まで連続して形成されている。切り欠き部１２ａの幅方向の寸法（左右方向の寸法）は、当該切り欠き部１２ａの前後方向の寸法（奥行き方向の寸法）よりも短く設定されている。切り欠き部１２ａの幅方向の寸法は、プルタブ１０３の左右方向の寸法よりも若干長めに設定されており、また、切り欠き部１２ａの前後方向の寸法は、プルタブ１０３の同方向の寸法よりも若干長めに設定されている。これにより、プルタブ１０３の少なくとも手前側が切り欠き部１２ａに嵌まる。尚、切り欠き部１２ａの形状は、一般的なプルタブ１０３が嵌まる形状であればよく、図示した形状に限られるものではない。
【００３８】
プルタブ嵌合部１２における切り欠き部１２ａの周縁部には、下方へ突出する突出部１２ｂが設けられている。突出部１２ｂは、切り欠き部１２ａの周縁部の全体に亘って連続している。突出部１２ｂを設けることにより、プルタブ１０３の位置が上下方向に多少異なっていても、プルタブ１０３がプルタブ嵌合部１２に確実に嵌合するようになる。
【００３９】
図１等に示すように、嵌合部材１０は、軸３０を支持する支軸部１３を備えている。図５に示すように、支軸部１３は、環状部１１の奥側の部分に一体成形されており、この環状部１１の奥側の部分から奥側方向へ突出するとともに、下方へも突出するように形成されている。したがって、軸３０は、環状部１１の外側に設けられることになる。
【００４０】
図３及び図４に示すように、支軸部１３の左右方向中間部１３ａは、左側部分１３ｂ及び右側部分１３ｃに比べて低く形成されている。図３及び図４に示すように、支軸部１３の中間部１３ａと左側部分１３ｂとの間には左側溝部１３ｄが形成され、支軸部１３の中間部１３ａと右側部分１３ｃとの間には右側溝部１３ｅが形成されている。左側溝部１３ｄ及び右側溝部１３ｅは、前後方向に延びている。
【００４１】
支軸部１３には、左右方向に略水平に延びる軸挿入孔１３ｆが形成されている。軸挿入孔１３ｆは、支軸部１３の左側部分１３ｂから右側部分１３ｃまで形成されており、この軸挿入孔１３ｆに軸３０が挿入された状態で保持される。軸挿入孔１３ｆの左端部は、左側部分１３ｂの左側面に開口し、また、軸挿入孔１３ｆの右端部は、右側部分１３ｃの右側面に開口している。尚、軸挿入孔１３ｆは、左側部分１３ｂと、右側部分１３ｃとにそれぞれ形成してもよい。この場合、軸３０は、左側部分１３ｂに形成された軸挿入孔１３ｆに挿入されるものと、右側部分１３ｃに形成された軸挿入孔１３ｆに挿入されるものとを用意すればよい。
【００４２】
図５に示すように、軸挿入孔１３ｆは、環状部１１の上端部よりも下に位置している。また、開封器具１をプルトップ缶１００に固定した状態で、軸挿入孔１３ｆは、プルトップ缶１００の上端部よりも下に位置している。
【００４３】
（レバー部材２０の構成）
図１に示すように、レバー部材２０は、板材からなるものであり、嵌合部材１０に対して水平方向に延びる軸３０周りに回動可能に取り付けられ、開封者によって操作される部材である。図８に示すように、レバー部材２０の中間部には、左側縦板部２１と右側縦板部２２とが設けられている。図３にも示すように、右側縦板部２２は、レバー部材２０の中間部における右縁部から下方へ突出するように形成されており、右側縦板部２２の下端部には軸３０が挿入される右側挿入孔２２ａが形成されている。左側縦板部２１は右側縦板部２２と同様に構成されており、軸３０が挿入される左側挿入孔２１ａ（図８にのみ破線で示す）を有している。
【００４４】
左側縦板部２１は、嵌合部材１０の左側溝部１３ｄに挿入されるようになっており、また、右側縦板部２２は、嵌合部材１０の右側溝部１３ｅに挿入されるようになっている。レバー部材２０の左側縦板部２１及び右側縦板部２２を嵌合部材１０の左側溝部１３ｄ及び右側溝部１３ｅに挿入した状態で嵌合部材１０の軸挿入孔１３ｆに軸３０を挿入すると、その軸３０がレバー部材２０の左側挿通孔２１ａ及び右側挿通孔２２ａに挿入される。これにより、レバー部材２０と嵌合部材１０とが軸３０によって連結され、レバー部材２０と嵌合部材１０とを軸３０周りに相対回動させることができる。軸３０は、例えば、嵌合部材１０の軸挿入孔１３ｆに圧入することによって固定することができる。
【００４５】
図１に示すように、レバー部材２０における軸３０よりも基端側には、開封者が操作する操作部２３が設けられている。一方、レバー部材２０における軸３０よりも先端側部分２４は、開封器具１がプルトップ缶１００に固定された状態で蓋片部１０２ｂの上方まで延びるように形成されている。
【００４６】
操作部２３は、軸３０に支持された部分（左側縦板部２１及び右側縦板部２２）から上へ延びた後、先端側部分２４の上方に位置するまで湾曲しながら延びるように形成されている。図１０に示すように、操作部２３は湾曲成形されており、開封者が例えば手のひらで操作部２３を押した際に手のひらに沿うようになっている。これにより、操作部２３に対して大きな力を楽に加えることができる。
【００４７】
レバー部材２０の先端側部分２４は、軸３０に支持された部分から嵌合部材１０の中間部１３ａの上方を通って環状部１１の内方へ向けて延びるように形成されている。レバー部材２０の先端側部分２４の左右方向の寸法は、操作部２３の左右方向の寸法よりも短く設定されている。先端側部分２４は、左右方向の中央部が最も下に位置するように緩やかに湾曲している。
【００４８】
レバー部材２０の先端側部分２４の先端部には、プルトップ缶１００の蓋片部１０２ｂの一部に当接する開封用突起部２４ａが下方へ突出するように形成されている。開封用突起部２４ａは、レバー部材２０を構成する板材を屈曲させることによって当該レバー部材２０に一体成形されている。また、開封用突起部２４ａは、蓋片部１０２ｂの幅方向（左右方向）一方寄りに対応するように配置されている。図１２は、開封器具１をプルトップ缶１００に固定した状態で嵌合部材１０を省略してレバー部材２０とプルトップ缶１００との位置関係を示す平面図であり、この図に示すように、レバー部材２０の先端側部分２４の左右方向の寸法Ｗ１は、一般的な蓋片部１０２ｂの左右方向の寸法Ｗ２よりも若干短めに設定されている。この実施形態では、開封用突起部２４ａがレバー部材２０の先端側部分２４の左端部に形成されており、これにより、蓋片部１０２ｂの手前側において左端部の直上方に配置されることになる。尚、開封用突起部２４ａは、先端側部分２４の右端部に形成されていてもよいし、先端側部分２４の左右方向中間部に形成されていてもよい。開封用突起部２４ａの形状は左右方向に長い形状であってもよい。
【００４９】
図７及び図８に示すように、レバー部材２０の先端側部分２４の先端部には、上方へ突出する上側突起部２４ｂが形成されている。上側突起部２４ｂは、レバー部材２０を構成する板材の一部を上方へ屈曲させることによって当該レバー部材２０に一体成形されており、先端側部分２４の右端部に位置している。レバー部材２０の先端側部分２４の先端部における開封用突起部２４ａと、上側突起部２４ｂとの中間部２４ｃは、左右方向中央部が最も奥側に位置するように湾曲している。これにより、図１２に示すように、レバー部材２０の先端側部分２４がプルタブ１０３の奥側部分と接触しないようにすることができる。
【００５０】
図７〜図９に示すように、レバー部材２０の先端側部分２４の左縁部及び右縁部は、それぞれ左側刃部２４ｄ及び右側刃部２４ｅとされている。左側刃部２４ｄ及び右側刃部２４ｅは、先端側部分２４の先端から基端へ向かって前後方向に直線状に延びており、缶蓋本体１０２における破断予定部１０２ａよりも外側部分を破断させて缶蓋本体１０２の開封後の開口面積を拡大させるためのものである。左側刃部２４ｄと右側刃部２４ｅとの左右方向の離間寸法は、例えば２０ｍｍ〜２５ｍｍ程度に設定することができる。
【００５１】
（開封器具１の使用方法）
次に、開封器具１の使用方法について説明する。まず、図１に示すように開封器具１をプルトップ缶１００の上方に配置してから、図１１に示すように嵌合部材１０の環状部１１にプルトップ缶１００の上部を挿入する。このとき、プルタブ嵌合部１２にはプルタブ１０３の外形状に対応した形状の切り欠き部１２ａが形成されているので、この切り欠き部１２ａにプルタブ１０３の手前側が嵌まるように嵌合部材１０を位置決めする。これにより、嵌合部材１０の周方向の位置決めを容易に行うことができる。プルトップ缶１００の上部を嵌合部材１０の環状部１１に完全に挿入すると、プルトップ缶１００の上部がプルタブ嵌合部１２の下面に当接して嵌合部材１０とプルトップ缶１００との上下方向の位置決めが行われる。
【００５２】
上記のようにして嵌合部材１０をプルトップ缶１００の上部に嵌合させることで、開封器具１がプルトップ缶１００に固定され、嵌合部材１０がプルトップ缶１００の径方向のいずれの方向にも移動しにくくなり、開封器具１が安定する。また、レバー部材２０の開封用突起部２４ａがプルトップ缶１００の蓋片部１０２ｂの手前側において左端部の直上方に配置され、また、上側突起部２４ｂが蓋片部１０２ｂの手前側において右端部の直上方に配置されることになる。
【００５３】
その後、開封者がレバー部材２０の操作部２３に対し、図１１に示す矢印２００の方向（下方向）に力を加えると、レバー部材２０は、操作部２３が下へ移動するように軸３０周りに回動していく。このときに加える力の方向は、プルトップ缶１００の上部を嵌合部材１０に嵌合させる方向であることから、開封器具１をプルトップ缶１００に確実に固定しておくことができる。
【００５４】
レバー部材２０が回動することで、先端側部分２４も下へ移動していき、これにより、開封用突起部２４ａがプルトップ缶１００の蓋片部１０２ｂの左端部近傍に当接する。この状態で開封者が更に下方向の力を加えていくと、開封用突起部２４ａが蓋片部１０２ｂの左端部近傍を下方へ押圧し、破断予定部１０２ａのうち、左側が破断し始める。レバー部材２０の回動に伴って開封用突起部２４ａが更に下方へ移動して缶体１０１内に入っていき、破断予定部１０２ａが広い範囲で破断する。つまり、開封用突起部２４ａを左端部に配置していることで、破断予定部１０２ａを破断させる際に、破断開始時にその一部だけを小さな力で破断させることができ、その後、破断予定部１０２ａの破断範囲を徐々に拡大させることができる。
【００５５】
レバー部材２０が更に回動していくと先端側部分２４が缶体１０１内に入っていく。これにより、蓋片部１０２ｂが先端側部分２４の左側部分だけでなく、先端側部分２４の右側部分によっても押されて缶体１０１内へ向けて折り曲げられ、図１４に示すように缶蓋本体１０２に開口１０５が形成される。この段階で開封器具１をプルトップ缶１００から取り外すことで開封作業が完了する。また、以下に説明するように、開封器具１をプルトップ缶１００から取り外すことなく、レバー部材２０を更に回動させてもよい。
【００５６】
レバー部材２０を更に回動させると、左側刃部２４ｄ及び右側刃部２４ｅが下方へ移動していき、缶蓋本体１０２における破断予定部１０２ａよりも外側部分に当接して当該外側部分を切断する。図１４には、左側刃部２４ｄ及び右側刃部２４ｅでそれぞれ切断された部分を符号１０５ａ、１０５ｂで示す。缶蓋本体１０２における左側切断部分１０５ａと右側切断部分１０５ｂとの間は、レバー部材２０の先端側部分２４によって缶体１０１内へ折り曲げられる。これにより、破断予定部１０２ａで囲まれた部分よりも広い範囲が開口することになるので、蓋体本体１０２の開口面積が大きくなる。
【００５７】
（実施形態の作用効果）
以上説明したように、この実施形態に係る開封器具１によれば、嵌合部材１０をプルトップ缶１００の上部に嵌合させることで開封器具１をプルトップ缶１００に固定することができ、この固定状態でレバー部材２０を操作することによって蓋片部１０２ｂの周囲の破断予定部１０２ａを破断して当該蓋片部１０２ｂを缶体１０１内に向けて折曲げ、プルトップを開口させることができるので、プルトップの開封作業を容易に行うことができる。
【００５８】
また、開封用突起部２４ａを左寄りに配置しているので、破断予定部１０２ａに近づけることができ、レバー部材２０の操作時に破断予定部１０２ａに近い所を開封用突起部２４ａで押すことができる。これにより、破断予定部１０２ａが破断しやすくなり、開封がより一層容易になる。
【００５９】
また、レバー部材２０を操作すると、破断予定部１０２ａが破断するとともに、レバー部材２０の左側刃部２４ｄ及び右側刃部２４ｅによって破断予定部１０２ａよりも外側部分を破断させることができる。これにより、蓋体本体１０２の開口面積が大きくなるので、例えばプルトップ缶１００に飲料が収容されている場合に、飲料の単位時間当たりの流出量を増大させることができる。
【００６０】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６１】
以上説明したように、本発明に係る開封器具は、ステイオンプルタブ式のプルトップ缶を開封する場合に使用することができる。
【符号の説明】
【００６２】
１              開封器具
１０            嵌合部材
１１            環状部
１２            プルタブ嵌合部
２０            レバー部材
２３            操作部
２４            先端側部分
２４ａ          開封用突起部
２４ｄ          左側刃部
２４ｅ          右側刃部
１００          プルトップ缶
１０２          缶蓋本体
１０２ａ        破断予定部
１０２ｂ        蓋片部
１０３          プルタブ
【図１】
2020169050.tif 000003
【図２】
2020169050.tif 000004
【図３】
2020169050.tif 000005
【図４】
2020169050.tif 000006
【図５】
2020169050.tif 000007
【図６】
2020169050.tif 000008
【図７】
2020169050.tif 000009
【図８】
2020169050.tif 000010
【図９】
2020169050.tif 000011
【図１０】
2020169050.tif 000012
【図１１】
2020169050.tif 000013
【図１２】
2020169050.tif 000014
【図１３】
2020169050.tif 000015
【図１４】
2020169050.tif 000016